(57)【要約】【課題】ドレンパンに流れ込む雨水等の水の量が多くなっても、その水をドレンパンから溢れさせることなく、外部に排出できるドレンパンを提供する。【解決手段】雨水等の水が流入する凹所２と、この凹所２の底部３に接続されて、凹所２に流入した水を外部に排出するドレン管５とを備え、凹所２の底部３に、この凹所２から溢れ出ようとする水を外部に排出するオーバーフロー管１０が凹所２の底部３から突出するようにして接続されている。したがって、ドレンパン１の凹所２に流れ込む雨水等の水の量が多くなっても、その水を凹所２から溢れさせることなく、外部に排出できる。【選択図】図１
2005226262.tif 000002
【特許請求の範囲】
【請求項１】
雨水等の水が流入する凹所と、この凹所の底部に接続されて、凹所に流入した水を外部に排出するドレン管とを備えたドレンパンであって、
前記凹所の底部には、この凹所から溢れ出ようとする水を外部に排出するオーバーフロー管が前記凹所の底部から突出するようにして接続されていることを特徴とするドレンパン。
【請求項２】
請求項１に記載のドレンパンにおいて、
前記凹所の底部は、ほぼ水平な水平底面と、この水平底面の縁部から斜め上方に傾斜するようにして設けられた傾斜底面とを備え、
前記水平底面に前記ドレン管が接続されており、前記傾斜底面に前記オーバーフロー管が接続されていることを特徴とするドレンパン。
【請求項３】
請求項１または２に記載のドレンパンにおいて、
前記オーバーフロー管の前記凹所の底部からの突出高さは、前記凹所の深さとほぼ等しいか若干高くなっていることを特徴とするドレンパン。
【請求項４】
建物の躯体に取付けられて、建物のバルコニーを構成するバルコニー本体と、このバルコニー本体の底部に取付けられた請求項１〜３のいずれか一項に記載のドレンパンとを備えたことを特徴とするドレンパン付きバルコニー。
【請求項５】
請求項４に記載のドレンパン付きバルコニーにおいて、
前記ドレンパンのドレン管とオーバーフロー管とは、それぞれバルコニー本体の側壁に挿通され、この側壁の表面に開口していることを特徴とするドレンパン付きバルコニー。
【発明の詳細な説明】
【技術分野】
【０００１】
本発明は、建物のバルコニー等に設けられるドレンパンおよびドレンパン付きバルコニーに関する。
【背景技術】
【０００２】
バルコニー、外廊下、パラペットなどの床には、雨水が降り注ぐため、その雨水を集めて排水するための排水構造を設けてある。たとえば、バルコニの床には、建物本体から離れるに従って次第に下方へ傾斜した水勾配を形成し、その水勾配下流側に排水溝を水勾配をもって形成し、この排水溝の水勾配下流側終端に、ドレンパンを設け、このドレンパンに流入した雨水等の水をドレン管によって外部に排出するようにしている（例えば、特許文献１参照。）
【特許文献１】特開平８−１８９１５１号公報
【発明の開示】
【発明が解決しようとする課題】
【０００３】
ところで、例えば陸屋根の一部に置屋根を設け、この置屋根に降った雨水を、一旦陸屋根に導入し、さらに、この陸屋根からバルコニーに導入する場合、バルコニーに流れ込む水量が多くなって、ドレンパンに接続したドレン管から全ての雨水をスムーズに排出するのが困難になって、ドレンパンから雨水の一部が溢れ出てしまうことがあった。
また、このような場合に拘らず、処理する雨水等の水量が多くなると、例えば、バルコニー、外廊下、パラペット等の床に設けたドレンパンから雨水等の水の一部が溢れることがあった。
【０００４】
本発明は上記事情に鑑みてなされたもので、ドレンパンに流れ込む雨水等の水の量が多くなっても、その水をドレンパンから溢れさせることなく、外部に排出できるドレンパンおよびドレンパン付きバルコニーを提供することを目的としている。
【課題を解決するための手段】
【０００５】
上記目的を達成するために、請求項１に記載の発明は、例えば図１〜図５に示すように、雨水等の水が流入する凹所２と、この凹所２の底部３に接続されて、凹所２に流入した水を外部に排出するドレン管５とを備えたドレンパンであって、
前記凹所２の底部３には、この凹所２から溢れ出ようとする水を外部に排出するオーバーフロー管１０が前記凹所２の底部３から突出するようにして接続されていることを特徴とする。
オーバーフロー管１０の本数は、ドレンパン１の大きさにもよるが、通常は１本でよく、ドレンパン１が大きくなれば複数本設けてもよい。
【０００６】
請求項１に記載の発明によれば、ドレンパン１の凹所２に雨水等の水が流入すると、通常の状態では、水はドレン管５を通って外部に排出される。
また、凹所２に流入する水が多くなると、凹所２に水が次第に溜まってきて、水面が上昇してくるが、水面がオーバーフロー管１０の先端開口とほぼ等しいか若干高くなると、水はオーバーフロー管１０を通って外部に排出される。したがって、ドレンパン１の凹所２に流れ込む雨水等の水の量が多くなっても、その水を凹所２から溢れさせることなく、外部に排出できる。
【０００７】
請求項２に記載の発明は、請求項１に記載のドレンパンにおいて、
前記凹所２の底部３は、ほぼ水平な水平底面３ａと、この水平底面３ａの縁部から斜め上方に傾斜するようにして設けられた傾斜底面３ｂとを備え、
前記水平底面３ａに前記ドレン管５が接続されており、前記傾斜底面３ｂに前記オーバーフロー管１０が接続されていることを特徴とする。
【０００８】
請求項２に記載の発明によれば、ドレンパン１の凹所２に雨水等の水が流入すると、通常の状態では、傾斜底面３ｂ上に流入した水は傾斜底面３ｂに沿って下方に流れて水平底面３ａに達し、水平底面３ａ上に流入した水と一緒になって、ドレン管５を通って外部に排出される。このように、傾斜底面３ｂ上に水は滞留しないので、その分、凹所２に流入した水を効率的に排出できる。
また、凹所２に流入する水が多くなると、凹所２に水が次第に溜まってきて、水面が上昇してくるが、凹所２の底部３は傾斜底面３ｂを備えているので、凹所２の底部３は全て水平の場合に比して、水面の上昇が速くなり、早期に水をオーバーフロー管１０を通して外部に排出でき、水の溢れ出を効果的に防止できる。
【０００９】
請求項３に記載の発明は、請求項１または２に記載のドレンパンにおいて、
前記オーバーフロー管１０の前記凹所２の底部３からの突出高さは、前記凹所２の深さとほぼ等しいか若干高くなっていることを特徴とする。
ここで、凹所２の底部３が傾斜底面３ｂを有する場合、凹所２の深さは傾斜底面３ｂのオーバーフロー管１０が接続された部分における深さとする。
【００１０】
請求項３に記載の発明によれば、オーバーフロー管１０の高さが、前記凹所２の深さとほぼ等しいか若干高くなっているので、通常状態では凹所２に流入した水はドレン管５を通って外部に排出され、また、凹所２に流入する水が多くなると、凹所２から溢れ出ようとする水を確実にオーバーフロー管１０を通して外部に排出できる。
【００１１】
請求項４に記載の発明は、建物２２の躯体に取付けられて、建物２２のバルコニー２０を構成するバルコニー本体２１と、このバルコニー本体２１の底部に取付けられた請求項１〜３のいずれか一項に記載のドレンパン１とを備えたことを特徴とする。
【００１２】
請求項４に記載の発明によれば、バルコニー本体２１の底部にドレンパン１が取付けられているので、このバルコニー本体２１を躯体に固定することによって、バルコニー２０からドレンパン１の凹所２に流れ込む雨水等の水の量が多くなっても、その水を凹所２から溢れさせることなく、オーバーフロー管１０によって外部に排出できる。
【００１３】
請求項５に記載の発明は、請求項４に記載のドレンパン付きバルコニーにおいて、
前記ドレンパン１のドレン管５とオーバーフロー管１０とは、それぞれバルコニー本体２１の側壁２１ａに挿通され、この側壁２１ａの表面に開口していることを特徴とする。
【００１４】
請求項５に記載の発明によれば、ドレン管５とオーバーフロー管１０とが、それぞれバルコニー本体２１の側壁２１ａに挿通され、この側壁２１ａの表面に開口しているので、ドレン管５およびオーバーフロー管１０を通った水を、側壁側から外部に容易に排出できる。
【発明の効果】
【００１５】
請求項１に記載の発明によれば、ドレンパンの凹所の底部にオーバーフロー管が凹所の底部から突出するようにして接続されているので、凹所に流入する水が多くなると、水はオーバーフロー管を通って外部に排出される。したがって、ドレンパンの凹所に流れ込む雨水等の水の量が多くなっても、その水を凹所から溢れさせることなく、外部に排出できる。
【００１６】
請求項２に記載の発明によれば、凹所底部が、水平底面と傾斜底面とを備え、水平底面にドレン管が接続されており、傾斜底面に前記オーバーフロー管が接続されているので、通常の状態では、傾斜底面上に水は滞留しないので、凹所に流入した水を効率的に排出できる。
また、凹所に流入する水が多くなると、早期に水をオーバーフロー管を通して外部に排出でき、水の溢れ出を効果的に防止できる。
【００１７】
請求項３に記載の発明によれば、オーバーフロー管の高さが、前記凹所の深さとほぼ等しいか若干高くなっているので、通常状態では凹所に流入した水をドレン管いよって外部に排出でき、また、凹所に流入する水が多くなると、凹所から溢れ出ようとする水を確実にオーバーフロー管を通して外部に排出できる。
【００１８】
請求項４に記載の発明によれば、バルコニー本体を躯体に固定することによって、バルコニーからドレンパンの凹所に流れ込む雨水等の水の量が多くなっても、その水を凹所から溢れさせることなく、オーバーフロー管によって外部に排出できる。
【００１９】
請求項５に記載の発明によれば、ドレン管とオーバーフロー管とが、それぞれバルコニー本体の側壁に挿通され、この側壁の表面に開口しているので、ドレン管およびオーバーフロー管を通った水を、側壁側から外部に容易に排出できる。
【発明を実施するための最良の形態】
【００２０】
以下、図面を参照した本発明の実施の形態について説明する。
図１は本実施の形態のドレンパンの平面図、図２は同側断面図である。これらの図に示すドレンパン１は、平面視長方形状のものであり、外周側の三辺には、それぞれフランジ部１ａが形成されている。また、長辺側のフランジ１ａと対向する辺には、垂直に立ち上がる垂直壁１ｂが形成されている。この垂直壁１ｂはフランジ１ａより上方に突出している。
また、ドレンパン１は、その中央部に凹所２を備えている。この凹所２は底部３と、この底部３の縁部から立ち上がり、上端部に前記フランジ部１ａが形成された側壁部４と、底部３の縁部から立ち上がる前記垂直壁１ｂとによって囲まれた部分であり、雨水等の水がフランジ部１ａ上を通って流入するようになっている。
【００２１】
前記底部３は、ほぼ水平な水平底面３ａと、この水平底面３ａの縁部から斜め上方に傾斜するようにして設けられた傾斜底面３ｂとを備えている。水平底面３ａは平面視長方形状の平面であり、その中央部には貫通孔３ｃが形成されている。また、傾斜底面３ｂも平面視長方形状の平面であり、その中央部には貫通孔３ｄが形成されている。
【００２２】
水平底面３ｂの貫通孔３ｃには、ドレン管５が接続されている。このドレン管５は凹所２に流入した水を外部に排出するもので、貫通孔３ｃに上方から挿通された挿通管６と、この挿通管６の下端部に接続されたエルボ７と、このエルボ７に接続された本管８とによって構成されている。挿通管６は上端部にフランジ部６ａを備えており、このフランジ部６ａは貫通孔３ｃの周囲に当接され、これによって貫通孔３ｃからの抜け出が防止されている。
本管８はエルボ７によって挿通管６と直交する方向に向きを変えられて配管されており、前記垂直壁１ｂを貫通している。
なお、前記挿入管６は、図３に示すように、当初は貫通孔３ｃの下方に長めに突出しており、本管８をエルボ７を介して接続する際に、破線Ｓ１で示す部位で切断するようになっている。
【００２３】
傾斜底面３ｂの貫通孔３ｄには、オーバーフロー管１０が傾斜底面３ｂから突出するようにして接続されている。このオーバーフロー管１０は、凹所２から溢れ出ようとする水を外部に排出するもので、貫通孔３ｄに挿通された挿通管１１と、この挿通管１１の下端部に接続されたエルボ１２と、このエルボ１２に接続された本管１３とによって構成されている。挿通管１１は傾斜底面３ｂに対してほぼ垂直にかつ傾斜底面３ｂから突出するようにして挿通されており、その外周部には、底部にフランジ部１４ａを備えた外筒１４が固定されており、この外筒１４ａのフランジ部１４ａが貫通孔３ｄの周囲に当接され、これによって貫通孔３ｄからの抜け出が防止されている。また、オーバーフロー管１０を構成する挿通管１１の凹所２の底部３の傾斜底面３ｂからの突出高さは、凹所２の深さとほぼ等しいか若干高くなっている。つまり、挿通管１１の先端は、ドレンパン１のフランジ部１ａがある位置とほぼ等しいが若干突出している。
また、本管１３はエルボ１２によって挿通管１１と直交する方向に向きを変えられて配管されており、前記垂直壁１ｂを貫通している。
なお、前記挿入管１１は、図３に示すように、当初は貫通孔３ｄの下方に長めに突出しており、本管１１をエルボ１２を介して接続する際に、破線Ｓ２で示す部位で切断するようになっている。
【００２４】
上述したようなドレンパン１は、図４および図５に示すようなバルコニー２０に設けられる。このバルコニー２０は、キャンチバルコニーであり、左右２つのバルコニー本体２１,２１と中央部のバルコニー本体２２とを連結することによって構成されている。バルコニー本体２１,２１およびバルコニー本体２２は、予め工場等で製造されて建築現場に搬入され、それぞれクレーン等によって吊下げられて、建物２２の躯体、例えば建物の外壁に取付け固定される。
【００２５】
前記ドレンパン１は、左右のバルコニー本体２１,２１のそれぞれの底部の端部側に取付けられており、中央部のバルコニー本体２２には取付けられていない。また、バルコニー２０の床面には、矢印で示すように、その中央部から左右方向に向けて下る水勾配が付与されている。そして、建物２２の陸屋根２３上に設置された置屋根２４に降った雨水は、一旦陸屋根２３に導入され、さらにこの陸屋根２３からバルコニー２０に導入され、さらに、バルコニー２０の床面に沿って左右に流れ、ドレンパン１,１に流入するようになっている。
【００２６】
また、ドレンパン１のドレン管５の本管６は、図１、図２および図５に示すように、エルボ７によって、バルコニー本体２１の側壁２１ａ側に向けて配管され、この側壁２１ａに挿通されたうえで、同側壁２１ａの表面に開口している。
同様に、ドレンパン１のオーバーフロー管１０の本管１３は、エルボ１２によって、バルコニー本体２１の側壁２１ａ側に向けて配管され、この側壁２１ａに挿通されたうえで、同側壁２１ａの表面に開口している。
なお、本実施の形態では、図１および図４に示すように、ドレン管５はバルコニー２０の側面２０ａ側に向けて配管し、この側面２０ａで開口したが、側面２０ｂ側に向けて配管し、この側面２０ｂで開口してもよい。
【００２７】
本実施の形態によれば以下のような効果を得ることができる。
（１）ドレンパン１の凹所２に流入する雨水等の水が多くなると、凹所２に水が次第に溜まってきて、水面が上昇してくるが、水面がオーバーフロー管１０の挿通管１１の先端開口とほぼ等しいか若干高くなると、水は挿通管１１から本管１３を通って外部に排出される。したがって、ドレンパン１の凹所２に流れ込む雨水等の水の量が多くなっても、その水を凹所２から溢れさせることなく、外部に排出できる。
（２）ドレンパン１の凹所２に雨水等の水が流入すると、通常の状態では、傾斜底面３ｂ上に流入した水は傾斜底面３ｂに沿って下方に流れて水平底面３ａに達し、水平底面３ａ上に流入した水と一緒になって、ドレン管５を通って外部に排出される。このように、傾斜底面３ｂ上に水は滞留しないので、その分、凹所２に流入した水を効率的に排出できる。
また、凹所２に流入する水が多くなると、凹所２に水が次第に溜まってきて、水面が上昇してくるが、凹所２の底部３は傾斜底面３ｂを備えているので、凹所２の底部３は全て水平の場合に比して、水面の上昇が速くなり、早期に水をオーバーフロー管１０を通して外部に排出でき、水の溢れ出を効果的に防止できる。
【００２８】
（３）オーバーフロー管１０の高さが、凹所２の深さとほぼ等しいか若干高くなっているので、通常状態では凹所２に流入した水はドレン管５を通って外部に排出され、また、凹所２に流入する水が多くなると、凹所２から溢れ出ようとする水を確実にオーバーフロー管１０を通して外部に排出できる。
（４）バルコニー本体２１の底部にドレンパン１が取付けられているので、このバルコニー本体２１を躯体に固定することによって、バルコニー２０からドレンパン１の凹所２に流れ込む雨水等の水の量が多くなっても、その水を凹所から溢れさせることなく、オーバーフロー管１０によって外部に排出できる。
（５）ドレン管５とオーバーフロー管１０とが、それぞれバルコニー本体２１の側壁に挿通され、この側壁２１の表面に開口しているので、ドレン管５およびオーバーフロー管１０を通った水を、側壁側から外部に容易に排出できる。
【００２９】
なお、本実施の形態では、本発明に係るドレンパン１をキャンチ式のバルコニー２０に設けた例について説明したが、ドレンパン１は、キャンチ式のバルコニーに限らず、他のバルコニー、外廊下、パラペット等の床に設けてもよい。
【図面の簡単な説明】
【００３０】
【図１】本発明に係るドレンパンの一例を示すもので、その平面図である。
【図２】同、ドレンパンの側断面図である。
【図３】同、ドレンパンに挿通管を挿通した状態を示す側断面図である。
【図４】本発明に係るドレンパン付きバルコニーの一例を建物とともに示す平面図である。
【図５】本発明に係るドレンパン付きバルコニーの一例を示すもので、バルコニー本体の側面図である。
【符号の説明】
【００３１】
１  ドレンパン
２  凹所
３  底部
３ａ  水平底面
３ｂ  傾斜底面
５  ドレン管
１０  オーバーフロー管
２０  バルコニー
２１  バルコニー本体
２１ａ  側壁
【図１】
2005226262.tif 000003
【図２】
2005226262.tif 000004
【図３】
2005226262.tif 000005
【図４】
2005226262.tif 000006
【図５】
2005226262.tif 000007